(57)【要約】【課題】　従来の多目的吸気バルブと、補助バルブハウジングの機能を統合し、構成部品の数を減少させる。【解決手段】　内部部材３１と、外部部材３２と、バルブハウジング３９とを具備する、酸素吸入器用の再利用可能な吸気バルブの構成において、内部部材３１は、外部の空気が内部に流入可能で、外部に流出しないように構成された第一のバルブ３７を具備する。バルブハウジング３９は、外部からの空気の流入が可能で、外部に流出しないように構成された第二のバルブと、内部の空気を外部に解放し、外部から内部へ空気が流入しないように構成された第三のバルブとを具備する。バルブハウジング３９は、酸素リザーバに接続するためのパイプスタッブと４２と、酸素供給用のパイプスタッブ４３とを更に具備する。外部部材３２とバルブハウジング３９は一体に構成される。【選択図】　　　図６
2004036893.tif 000002
【特許請求の範囲】
【請求項１】
内部部材と、外部部材と、バルブハウジングと、酸素供給用パイプスタッブとを具備し、
　前記内部部材と前記外部部材とは、酸素吸入器のバッグに設けられた開口部の縁を各々内側と外側から保持することにより、バッグに接合されるよう構成されており、
　前記内部部材は、前記バッグの内部に外部の空気が流入可能で、かつその流入方向とは逆方向に空気が流出しないように構成された第一のバルブを具備し、
　前記バルブハウジングは、
　外部から前記バルブハウジング内への空気の流入を可能にし、かつ、その流入方向とは逆方向に空気が流出しないように構成された第二のバルブと、
　前記バルブハウジングからの空気を外部に解放し、かつ、外部から前記バルブハウジングの内部に空気が流入しないように構成された第三のバルブと、
　酸素リザーバに接続するためのパイプスタッブと
を具備し、
　前記外部部材と前記バルブハウジングとが一体に構成されることを特徴とする酸素吸入器用の再利用可能な吸気バルブ。
【請求項２】
前記酸素供給用パイプスタッブは、前記バルブハウジングに配設されることを特徴とする請求項１記載の吸気バルブ。
【請求項３】
前記第一のバルブと前記第二のバルブと前記第三のバルブとは、同一のバルブであり、相互に取り換えて用いられることが可能であることを特徴とする、請求項１又は２に記載の吸気バルブ。
【請求項４】
前記第一のバルブ、前記第二のバルブ、および前記第三のバルブは、各々、
　ダイヤフラムと、
　前記ダイヤフラムに取り付けられた軸と
を具備し、
　前記軸は前記吸気バルブに設けられた孔に挿通され、前記吸気バルブにスナップ式で嵌合するように構成されることを特徴とする請求項３に記載の吸気バルブ。
【請求項５】
前記第二のバルブの軸は前記バルブハウジングの側壁にその内側から挿通され、前記第三のバルブの軸は前記バルブハウジングの側壁にその外側から挿通されることを特徴とする請求項４に記載の吸気バルブ。
【請求項６】
前記内部部材と前記外部部材は、各々ネジ部材を具備し、
　前記内部部材のネジ部材と、前記外部部材のネジ部材は、互いにネジ締めによって接合されるように構成されることを特徴とする請求項１乃至５に記載の吸気バルブ。
【請求項７】
前記内部部材は、レールダルメディカルＡＳ社製レールダルシリコンレサシテータを構成する吸気バルブの外部部材に接続可能に構成され、前記外部部材は、当該吸気バルブの内部部材に接続可能に構成されることを特徴とする請求項６に記載の吸気バルブ。
【請求項８】
前記バルブハウジングと前記第二のバルブと前記第三のバルブとを、外部の影響から保護するために、少なくとも前記外部部材から前記酸素リザーバに接続される前記パイプスタッブに渡って、前記バルブハウジングの外側を覆う外皮材を具備することを特徴とする請求項１乃至７に記載の吸気バルブ。
【発明の詳細な説明】
【技術分野】
【０００１】
　本発明は、酸素吸入器バッグ（レサシテータ）用の、再利用可能な吸気バルブに関する。
【背景技術】
【０００２】
　蘇生バッグは、呼吸が弱まっているか又は停止している患者に空気を送るために、又は肺換気を行うために、患者用マスクや気管内チューブを取り付けて使用される。この器具は、救急車や病院や救急医療室で、医療従事者によって頻繁に使用されている。
【０００３】
　通常この器具は、例えばシリコンやＰＶＣ（ポリ塩化ビニル）などから成る柔軟素材のバッグと、バッグに設けられ、患者に吸入される空気や患者からの呼気を制御する患者バルブと、患者の気道を出入りする空気又は呼気を導く、マスク又は気管内チューブと、バッグへ空気を送るための吸気バルブと、バッグに酸素を送るための酸素ホースとに加えて、酸素リザーバとから構成される。酸素は補助バルブハウジングを介して酸素リザーバに送られ、患者へ高濃度の酸素を送ることを可能にしている。
【０００４】
　今日の吸気バルブは１９６０年代以来、その形状と機能は比較的変化していない。これらの吸気バルブは一般に、内部部品と外部部品と、バッグが膨張したときにバッグ内部に空気を送り込むためのダイヤフラムバルブとから構成されている。該ダイヤフラムバルブは、ダイヤフラムが排気口を閉じることによって、バッグから外部へ空気が流出するのを防ぐ。このため、操作者がバッグを握りつぶす動作を行うことにより、バッグから患者へと空気が押し出される。なお以下において、操作者がバッグを握って押しつぶす動作を、単純に押圧と称するが、要するに、バッグの中の空気又は酸素を押し出すために、バッグを押す又は握りつぶすなど、何らかの圧力を加えてその形状をへこませる一回の動作を指す。
【０００５】
　近年では、治療効果を上げるために患者に余分に酸素を与えることがより一般的になってきている。そのため、吸気バルブの外部部品を、酸素連絡用と補助バルブハウジング用の、二つのソケット部材を用いて構成することが周知となっている。このバルブハウジングは酸素を患者に送る点において、以下に挙げるいくつかの機能を有する。
【０００６】
　まず、操作者がバッグを押圧する度に、次の押圧動作までに酸素が蓄えられる酸素リザーバへの連結部としての機能を有する。リザーバ内に蓄えられた酸素は、この連結部を介して、バッグが膨張する度にバッグ内に引き込まれる。この動作が正常に行われている間は、患者は通常酸素濃度２１％の空気の代わりに、濃度ほぼ１００％の酸素を受け取ることができる。酸素は、外部部品に連結された酸素チューブから継続的にリザーバに供給され、供給量を随時調節することが可能である。
【０００７】
　また、リザーバへの酸素供給に不具合が生じた場合、ダイヤフラムバルブからバルブハウジングを介してバッグ内に外部の空気を引き込むことが可能である。
【０００８】
　また、「バギング」（バッグの押圧と膨張の繰り返しを指す。）によってリザーバから取り込まれる酸素の量が、酸素リザーバに供給される酸素の量に追いつかず、リザーバ内の酸素が一杯になると、超過分の酸素は別のダイヤフラムバルブから排出される。
【０００９】
　従来の吸気バルブを使用する場合、ユーザは吸気バルブに用いられる別個の複数の部品を組み立てなければならず、それらの部品を常備しておく必要がある。
【００１０】
　レールダルメディカル　エー　エス社製の周知の製品に、吸気バルブと補助バルブハウジングの二つの製品がある（例えば非特許文献１参照。）。この二つの製品は組み合わせて使用されるが、合計９つの部品から構成され、９つの部品のうち、同一種類の部品は一組だけである。この構成だと生産コストと組み立てコストがかかる。また、ユーザは、それらの製品を再利用するために製品を完全に分解して洗浄や消毒を行う必要がある。すなわち、これらの製品維持のためにユーザに多大な負担がかかってしまうといった問題がある。
【００１１】
　組み立てや分解といった手間を軽減するものとして、一体型酸素供給吸気バルブが知られている（例えば特許文献１参照。）。この吸気バルブのバルブハウジングは、バッグ開口部の縁が該バルブハウジングに設けられた溝の内部に保持されることで、バッグに接続されている。この吸気バルブは分解して洗浄することを意図されておらず、バッグ、患者バルブ及び酸素リザーバと共に使い捨て用に設計されている。
【００１２】
【非特許文献１】レールダルメディカル　エー　エス社、１９９９年発行、製品カタログ、商品番号「５１　０４　００」及び「５３　１９　０２」
【特許文献１】米国特許第５１６３４２４号
【発明の開示】
【発明が解決しようとする課題】
【００１３】
　しかしながら、上記のように、バック開口部の縁がバルブハウジングの溝内部に保持されるためには、溝内部に滑り込むまでバッグ開口部の縁を広げなければならない。バッグとバルブハウジングの隙間から空気が漏れないようにするために、かつ、バッグが押圧されたときに溝からバッグが外れないようにするために、バッグの縁をバルブハウジングに圧着させる必要がある。従って、開口部の縁を溝に接合するのに何らかの部材が必要とされることになる。実際に市販されている使い捨て製品では、ホチキス留めによってバッグとバルブハウジングとの間の繋ぎ目が外れないように接合されている。しかしながら、この接合方法だと製品を損傷させずに再利用することが不可能であることはいうまでもない。
【００１４】
　更に、酸素リザーバはバルブハウジングを覆うシース手段によって保持される。このシースに設けられたリング状の補強部が、バルブハウジングの一端にはめこまれている。このため、シースかバルブハウジングのどちらかを損傷させずにシースを取り外すことはほとんど不可能である。
　この二つの要因だけをとっても、この器具に汎用性がないことがわかる。
【００１５】
　本発明は、このような従来の吸気バルブの構成における問題を解決しようとするものであり、周知の多目的吸気バルブと補助バルブハウジングの上述の機能を統合した、再利用可能な吸気バルブを提供することを目的とする。
【００１６】
　本発明はまた、吸気バルブが機能するのに必要な構成部品の数を減少させることを目的とする。
【課題を解決するための手段】
【００１７】
　上記目的を達成するために、本発明に係る酸素吸入器用の再利用可能な吸気バルブは、内部部材と、外部部材と、バルブハウジングと、酸素供給用のパイプスタッブとを具備し、前記内部部材と前記外部部材とは、酸素吸入器のバッグに設けられた開口部の縁を各々内側と外側から保持することにより、前記バッグに接合されるよう構成されており、前記内部部材は、前記バッグの内部に外部の空気が流入可能で、かつその流入方向とは逆方向に空気が流出しないように構成された第一のバルブを具備し、前記バルブハウジングは、外部から前記バルブハウジング内への空気の流入を可能にし、かつ、その流入方向とは逆方向に空気が流出しないように構成された第二のバルブと、前記バルブハウジングからの空気を外部に解放し、かつ、外部から前記バルブハウジングの内部に空気が流入しないように構成された第三のバルブと、酸素リザーバに接続するためのパイプスタッブとを具備し、前記外部部材と前記バルブハウジングとが一体に構成されることを特徴とする。
【発明の効果】
【００１８】
　本発明によれば、吸気バルブを構成する部品の数を減少することができる。これにより、吸気バルブの組み立てが容易となり、製造工程と製品維持が簡素化される。
【発明を実施するための最良の形態】
【００１９】
　まず従来の吸気バルブの構成と動作について説明してから、本発明の実施形態を説明することにより、本発明を更に細部に渡って説明する。
　図１は、患者バルブ２と、酸素リザーバ３と、従来技術に係る吸気バルブ４を付属したバッグ１を示している。吸気バルブ４は、本体吸気バルブ４ａと補助バルブハウジング４ｂとから構成される。本体吸気バルブ４ａはバッグ１の第一の開口部６に取り付けられる。
【００２０】
　操作時には、酸素リザーバ３は吸気バルブ４ａ上の酸素連絡部１５を介した図示せぬ酸素供給源より送られる酸素によって満たされる。酸素は、一定の圧力で吸気バルブ４ａのハウジング内に、更に補助バルブハウジング４ｂを介して酸素リザーバ３内に流入し、酸素リザーバ３を満たすようになっている。
【００２１】
　操作者がバッグ１を押圧すると、酸素はバッグ１の第二の開口部７を通ってバッグ１から押し出され、患者バルブ２を介して患者へと供給される。操作者がバッグ１を握る手を緩めると、バッグ１は、ボール型又はアーモンド型の元の形状に戻ろうとして、空気又は酸素が、酸素リザーバ３から補助バルブハウジング４ｂと本体吸気バルブ４ａを介してバッグ１に流入する。
【００２２】
　患者バルブ２は、バッグ１から空気を患者に送り、患者の呼気がバッグに逆流せずに外部に排出されるように構成されている。患者バルブの構成と動作は、本発明と従来技術とでは同様であるので、その詳細な説明を省く。
【００２３】
　図２は周知の吸気バルブ４の分解立体図であり、図３は組み立てた状態の該バルブを示している。本体吸気バルブ４ａは外部部材１０と、内部部材１１と、ダイヤフラム１２とダイヤフラムホルダー１３とから構成されている。内部部材１１と外部部材１０は、それぞれネジ部材５ａ及び５ｂを備えており、ネジ部材５ａとネジ部材５ｂは互いにネジ締め合わされるように構成されている。内部部材１１はバッグ１の開口部６の内側に、外部部材１０は開口部６の外側に、互いに開口部６の縁を挟んで取り付けられる。具体的には、ネジ部材５ａ及び５ｂが開口部６の縁を挟んで互いにネジ締めされることによって、バッグ１が内部部材１１と外部部材１０との間で固定される。これにより、吸気バルブ４ａとバッグ１はその間において空気が漏れないように、確実に接続される。
【００２４】
　ダイヤフラムホルダー１３の凸部が、ダイヤフラム１２の孔を通されて内部部材１１にネジ留めされることによって、ダイヤフラム１２と、ダイヤフラムホルダー１３が内部部材１１の窪みにぴったり納まる。これによりダイヤフラム１２の中間部は固定されているのに対し、外周部分は内部部材１１に接しているだけである。バッグ１内の圧力より、吸気バルブ４内の圧力が高くなると、内部部材１１に接していたダイヤフラム１２の外周部分は、内部部材１１から離れて、ここに生じた隙間を空気が通過する。逆に、ダイヤフラム１２の反対側、すなわちバッグ内の圧力が吸気バルブ４内の圧力より高くなると、ダイヤフラム１２は内部部材１１側に押されるので隙間が閉じられて、空気は通過できなくなる。
【００２５】
　外部部材１０はパイプスタッブ１４を有する。
　補助バルブハウジング４ｂは、中間部１８と、これを中心に互いに逆方向を向いた二つのパイプスタッブ１９及び２０を具備する。パイプスタッブ１９がパイプスタッブ１４に嵌合されることによって補助バルブハウジング４ｂは外部部材１０に接続され、周囲の空気より酸素濃度が高い空気、もしくは濃度１００％の酸素を患者に送るのに用いられる。
【００２６】
　補助バルブハウジング４ｂの中間部１８には、二つのダイヤフラムバルブ１６と１７（いわゆる「きのこ弁」）とが備えられている。ダイヤフラムバルブ１６はダイヤフラムを具備し、中間部１８内の壁２１の内側に取り付けられている。ダイヤフラムバルブ１６は、外部からの空気を吸気バルブ内に流入させ、また逆方向に流れる空気を通過させないように構成される。ダイヤフラムバルブ１７はダイヤフラムを具備し、壁部材２２の外側に取り付けられ、中間部１８に取り付けられる。ダイヤフラムバルブ１７は、補助バルブハウジング４ｂから空気を外部に流出させるように構成される。バルブ１７の外側には、指などの物体がバルブの動作を妨げることを防ぐための保護カバー２３が備えられている。保護カバー２３は空気を通過させるように構成されてもよい。
【００２７】
　パイプスタッブ２４は、酸素リザーバ３に取り付けられて、補助バルブハウジング４ｂのパイプスタッブ２０との接続に用いられるが、パイプスタッブ２４は、補助バルブハウジング４ｂに設けられてもよい。上述の酸素連絡部１５は本体吸気バルブ４ａに設けられ、酸素は図示せぬ酸素供給源から酸素連絡部１５を介して供給される。
【００２８】
　バッグ１が押圧されるとその内部圧力が高まるため、ダイヤフラム１２が内部部材１１を圧迫して、バッグ１から吸気バルブ４ａへ空気が流出するのを防ぐ。酸素は、酸素連絡部１５から供給され、本体吸気バルブ４ａに入り、補助バルブハウジング４ｂを通り抜け、酸素リザーバ３へと流入する。押圧されたバッグ１が膨張する前に酸素リザーバ３内の酸素が充満すると、過剰な酸素を解放するためにダイヤフラムバルブ１７が開放する。ダイヤフラムバルブ１７は所定の圧力以上で開放するように圧縮応力が与えられている。
【００２９】
　何らかの原因により酸素の供給が滞り、酸素の流れが減少するか、又は完全に止まってしまった場合、バッグ１の押圧が解放されてバッグ１内の気圧が低くなると、ダイヤフラムバルブ１６が開放する。これによって生じた隙間からバルブハウジング内部に外部の空気が流れ込み、この空気がバッグ１内に流入するので、少なくとも酸素濃度２１％の空気が患者に供給される。
【００３０】
　次に、図４、図５、および図６を参照し、本発明の一実施形態を、より詳細に説明する。
　図４に示す吸気バルブは全体として、バッグ１と患者バルブ２と酸素リザーバ３と本発明に係る吸気バルブ３０とから構成される。バッグ１と患者バルブ２と酸素リザーバ３とは、図１に示すものと同一であるため、図４において同様の符号を用いることとし、これらの詳細な説明を省く。
【００３１】
　次に、本発明に係る吸気バルブを、図５及び図６を参照し、更に詳細に説明する。
　図５は、図６の分解立体図であり、図６は縦方向の断面図である。なお、酸素連絡部４３は、吸気バルブ３０の側面に設けられているので、実際には図に示す平面上には位置しないが、便宜上同一平面上に図示した。
【００３２】
　本発明に係る吸気バルブ３０は、内部部材３１と外部部材３２とを有する。内部部材３１と外部部材３２は、周知の吸気バルブ４ａと同様に、それぞれがバッグ１を挟んで固定するときにネジ締めするのに用いられる、ネジ部材３３ａと３３ｂとを有する。
【００３３】
　内部部材３１はディスク３４を有し、ネジ部材３３ａはディスク３４上に突出して設けられている。更に、スリーブ３５がディスク３４の中心部に形成されている。スリーブ３５の周囲には、空気又は酸素が通過するための孔３６が複数設けられている。図２及び図３で示したダイヤフラムバルブ１６及び１７と基本的に同様に設計されたきのこ弁３７の軸が、スリーブ３５内に押し込まれて固定される。なお、きのこ弁３７の軸は、スナップ式でスリーブ３５に固定されており、きのこ弁３７の軸を指などで強く押し出すか、きのこ弁３７のダイヤフラムを引っ張ることによって、きのこ弁３７をスリーブ３５から取り外せるようなスナップ構造を採用している。
【００３４】
　外部部材３２は、ネジ部材３３ｂの外側に張り出しているカップ型部材３８を具備し、このカップ型部材３８と内部部材３１の間にバッグ１を挟んで固定する。
カップ型部材３８の中心には、図２および図３の補助バルブハウジング４ｂに相当するバルブハウジング３９が突出して設けられている。バルブハウジング３９内には、二つのきのこ弁４０と４１が設けられている。各きのこ弁相互間での取り替えが可能となり、これらの在庫管理が容易になるように、きのこ弁４０と４１は、きのこ弁３７と同一であることが好ましい。
【００３５】
　きのこ弁４０はバルブハウジング３９の内部に、外部からの圧力に対して開放するようにダイヤフラムと共に取り付けられる。きのこ弁４１は内部からの圧力に対して開放するようにバルブハウジング３９の外側に取り付けられている。
　きのこ弁４１は、図２及び図３のダイヤフラムバルブ１７と同様に、所定の圧力以上で開放するように圧縮応力を与えられている。これは、きのこ弁４１が所定の圧力以上でバルブハウジングに押しつけられることにより適切な位置にはめこまれるという、それ自体は周知の手法によって取り付けられることによって実現される。
【００３６】
　パイプスタッブ４２はバルブハウジング３９から突出しており、酸素リザーバ３に設けられたパイプスタッブ２４に嵌合するように構成されている。バルブハウジング３９からは、図示せぬ酸素ホースを接続する、酸素連絡部４３が突出している。
　なお、上述したように、酸素連絡部４３はバルブハウジング３９の側面に位置しており、実際には図６に示す平面上には存在しない。
【００３７】
　図に示すように、パイプスタッブ４２と４３から外部部材３２に渡って、バルブハウジング３９の外側を覆うように保護シース４４を設けて、保護シース４４を例えばスナップ式で外部部材３２に接合させてもよい。保護シース４４は空気を透過させる。
【００３８】
　本発明に係る吸気バルブの動作原理は、図１、図２及び図３で説明したように、周知の吸気バルブ及び補助バルブハウジング４ｂの動作原理と同様である。すなわち、酸素は酸素連絡部４３を通って酸素リザーバ３へ流入する。酸素リザーバ３内に酸素が充満すると、きのこ弁４１が開放し、過剰な酸素を逃がす。バッグ１が押圧されると、きのこ弁３７は閉鎖されて、空気は患者バルブ２を介して患者へと供給される。
【００３９】
　何らかの原因により酸素の供給が滞った場合、きのこ弁４０はバッグ１の押圧が開放されると同時に開放する。これによって、きのこ弁４０を介してバッグ１に外部の空気が引き込まれることになる。
【００４０】
　きのこ弁３７、４０及び４１のダイヤフラムは、シリコン素材から成り、交換可能なように同一であることが好ましい。外部部材３２はバルブハウジング３９と共に、非弾性の透明なプラスチック素材から成ることが好ましい。吸気バルブ３０のその他の部品も非弾性のプラスチック素材で構成されてもよい。
【００４１】
　本発明に係る外部部材３２は、図１、図２及び図３を参照して説明したような、レールダルメディカル　エー　エス社製の、商品コード「５１　０４　００」でレールダルシリコンレサシテータとして市販されている、既存の吸気バルブの内部部材に接続可能に構成されることが好ましい。すなわち、図５に示す外部部材３２のネジ部材３３ｂは、図２に示すネジ部材５ａにネジ締めによって嵌合し、着脱可能に構成されることが好ましい。同様に、図５に示す内部部材３１のネジ部材３３ｂは、図２に示すネジ部材５ｂにネジ締めによって嵌合し、着脱可能に構成されることが好ましい。これにより、本発明に係る部品と従来の部品を混合して使用してしまったとしても、吸気バルブの所望の機能を得ることができる。これにより、誤った組み合わせによって患者の生命を脅かしかねない危険を回避することができる。
【００４２】
　このように、本発明に係る再利用可能な吸気バルブにおいては、共通の部品が使用されるので、構成部品の数を少なくすることができる。その結果、吸気バルブの組み立て作業は容易なものとなり、また、患者の生命に重大な影響を及ぼし得る部品の取り付け間違いを防ぐことができる。
【００４３】
　また、本発明の吸気バルブによれば、構成部品の合計数は９から５に減少し、必要となる部品の種類も、８から３に減少する。上述した実施形態に、外部の影響からバルブを保護する補助構成部品を用いるようにしてもよい。これにより、バルブを容易に使用することができるようになり、その結果患者の安全性が高まる。
【００４４】
　　また、本発明によれば、以下に述べる更なる利益が得られる。
　すなわち、同じ種類のダイヤフラムバルブが、現存の通気抵抗の要求を満たすと同時に、三つの異なる機能を実現する。このため、製造工程と製品維持が簡素化されるので、コスト削減が図れる。
　更に、本発明に係る吸気バルブは、二つのスペアバルブを有することになるので、酸素をバッグに吸い込むためのバルブが破損した場合、スペアバルブのうちの一つに取り換えることができる。これにより、患者に少なくとも２１％の酸素濃度の空気を与えることができるので、生命が脅かされる事態を免れる。
【００４５】
　また、本発明によれば、ダイヤフラムバルブと外部部品と内部部品は、所定の検査を経ることによって、誤った組み合わせの部品同士を結合し得ないようにその形状を構成することができる。また、誤った組み合わせの部品同士（例えば従来型の外部部品と本発明に係る内部部品）を接合させて用いても、吸気バルブの動作に生命を脅かしかねない不具合が生じることのないように、所定の検査を経て設計されることが可能である。
【００４６】
　また、外部部品の側面に二つダイヤフラムバルブを組み込むことによって、一体型吸気バルブの構成を実現してもよい。上述の図６で示すように、同一平面上に配置されたきのこ弁４０及び４１に比べて、大きいダイヤフラムバルブを一体型吸気バルブに用いることが可能となる。ダイヤフラムバルブの直径はより大きいほど圧縮応力を高めることが可能となる。従って、空気の漏れが防げると同時に、より硬い素材の中に組み立てることが可能となる。また、直径がより大きければ通気抵抗が小さくなる。このため製品の性能が高まる。
【００４７】
　また更に、本発明に係る吸気バルブの外部部品が誤って従来タイプの内部部品に取り付けられても機能するように設計されることが可能である。また、本発明に係る吸気バルブの内部部品は、誤って従来タイプの外部部品に取り付けられても機能するように設計することが可能となる。このように、汎用性の高い吸気バルブを提供することができる。
【図面の簡単な説明】
【００４８】
【図１】患者バルブと酸素リザーバと、補助バルブハウジングを伴った従来型の吸気バルブを付属した酸素吸入バッグを示している。
【図２】図１の補助バルブハウジングを付属した上記従来型の吸気バルブの分解立体図である。
【図３】補助バルブハウジングを伴った上記従来型の吸気バルブの断面図である。
【図４】患者バルブと、酸素リザーバと、本発明に係る吸気バルブを付属した酸素吸入バッグを示している。
【図５】本発明に係る上記吸気バルブの分解立体図である。
【図６】本発明に係る上記吸気バルブの断面図である。
【符号の説明】
【００４９】
１・・・バッグ、３・・・酸素リザーバ、３０・・・吸気バルブ、３１・・・内部部材、３２・・・外部部材、３３ａ、３３ｂ・・・ネジ部材、３５・・・スリーブ、３６・・・孔、３７、４０、４１・・・きのこ弁、３９・・・補助バルブハウジング、４３・・・酸素連絡部、４４・・・保護シース、２４、４２・・・パイプスタッブ
【図１】
2004036893.tif 000003
【図２】
2004036893.tif 000004
【図３】
2004036893.tif 000005
【図４】
2004036893.tif 000006
【図５】
2004036893.tif 000007
【図６】
2004036893.tif 000008